(57)【特許請求の範囲】
【請求項１】
修正対象物を、天地方向に延びる中心軸を中心として回転可能に上端部および下端部において支持する回転支持部と、
前記修正対象物において予め定められている検査位置における振れ量を検出する検出部と、
前記修正対象物に、前記中心軸と垂直な方向へ力を加える荷重印加部と、
前記検出部で検出する前記修正対象物の振れ量に関連づけて、前記回転支持部による前記修正対象物の回転角度を取得する回転角度取得部と、
前記荷重印加部から前記修正対象物に加えられた力に関連づけて、この力によって前記修正対象物から受ける反力を取得する反力取得部と、
前記荷重印加部に対し前記修正対象物へ加える力を制御値として指示するとともに、前記反力取得部で取得する反力が前記荷重印加部へ指示した前記制御値を下回るように制御する荷重制御部と、
前記修正対象物の振れ量を修正するための修正パターンを、前記修正対象物に加える荷重と前記修正対象物の変位量との関係として複数記憶している記憶部と、
前記回転角度取得部で前記修正対象物の全周における振れ量が取得されると、振れ量が最大となる振れ量最大位置で前記修正対象物に予め設定され前記修正対象物の弾性限度より小さな第一荷重を加え、前記第一荷重を加えたときの変位量の変化パターンを前記検出部から取得する変化パターン取得部と、
前記変化パターン取得部で取得した前記変化パターンから、前記記憶部に記憶されている複数の修正パターンのうち前記変化パターンとの誤差が最小となる最適修正パターンを選択する修正パターン選択部と、
前記修正パターン選択部で選択した前記最適修正パターンに基づいて、前記修正対象物に対して目標とする振れ修正量に応じた荷重を算出し、算出した荷重を第二荷重として前記荷重制御部から前記荷重印加部へ指示する制御値に設定する第二荷重設定部と、
を備えることを特徴とする振れ修正装置。
【発明の詳細な説明】
【技術分野】
【０００１】
本発明は、振れ修正装置に関する。
【背景技術】
【０００２】
従来の修正対象物の振れ量を修正する修正方法は、例えば特許文献１に開示されている。特許文献１の場合、修正対象物は、修正の最初から修正が必要となる部分に目標とする修正量に対応する荷重が加えられる。そして、修正対象物の振れ量が予め設定されている規格内に収まるまで、修正対象物への荷重の印加と振れ量の検出とが繰り返される。
しかしながら、修正対象物は、加えられる荷重とこの荷重によって修正される修正量との間に個体差がある。そのため、特許文献１の場合、修正対象物の振れ量の修正に必要な時間および修正の回数が増加する。その結果、作業工程の定量的な管理が困難になるという問題がある。
【先行技術文献】
【特許文献】
【０００３】
【特許文献１】特開昭５８−１５５３１０号公報
【発明の概要】
【発明が解決しようとする課題】
【０００４】
そこで、本発明の目的は、修正対象物の個体差にかかわらず、修正に必要な時間および修正の回数を低減しつつ作業工程が定量的に管理される振れ修正装置を提供することにある。
【課題を解決するための手段】
【０００５】
請求項１記載の発明では、変化パターン取得部は、修正対象物の中心軸を中心とする全周において振れ量が取得されると、振れ量が最大となる振れ量最大位置において、修正対象物の弾性限度より小さな第一荷重を修正対象物へ加える。これにより、変化パターン取得部は、第一荷重に対応して修正対象物の個体ごとに固有の変位量の変化パターンを取得する。修正パターン選択部は、この修正対象物に固有の変化パターンに基づいて、複数設定されている修正パターンのうち誤差が最小となる最適修正パターンを選択する。第二荷重設定部は、目標となる振れ修正量から最適修正パターンを用いて第二荷重を設定する。これにより、荷重印加部は、第二荷重設定部で設定された制御値に応じて修正対象物に第二荷重を加える。このように、請求項１記載の発明では、中心軸を中心に修正対象物を一回転させる間に全周の振れ量を取得し、この振れ量が最大となる位置で修正対象物に第一荷重を加える。そして、第一荷重によって得られた修正対象物の変位量から最適修正パターンを選択し、この最適修正パターンにより目標となる修正量に対応する第二荷重を設定することによって、修正対象物は第二荷重で修正される。その結果、修正対象物は、全周の振れ量の取得、振れ量最大位置における第一荷重の印加、およびこの振れ量最大位置における第二荷重の印加という手順で振れの修正が完了する。すなわち、修正対象物は、振れ量最大位置において第一荷重および第二荷重が続けて印加される。振れの修正に先だって第一荷重を印加することにより、修正対象物を適切に変位させるためにどのような荷重をどのように印加すればよいかが推測され、推測した荷重の印加手順が最適修正パターンとして取得される。そして、この最適修正パターンにしたがうことにより、修正対象物には第二荷重の印加の当初から目標とする振れ修正量に対応する適切な荷重が印加される。その結果、短時間で修正される振れ量が収束し、修正回数は低減される。したがって、修正対象物の個体差に関わらず、修正に必要な時間および修正の回数を低減することができ、作業工程を定量的に管理することができる。
【図面の簡単な説明】
【０００６】
【図１】本発明の一実施形態による振れ修正装置の機械的な構成を示す概略図
【図２】一実施形態による振れ修正装置の電気的な構成を示すブロック図
【図３】荷重と変位量との関係である修正パターンを示す模式図
【図４】一実施形態による振れ修正装置の作動の流れを示す概略図
【発明を実施するための形態】
【０００７】
以下、本発明の一実施形態による振れ修正装置を図面に基づいて説明する。
図１に示すように、振れ修正装置１０は、回転支持部１１、検出部１２、荷重印加部１３および反力取得部１４を備えている。回転支持部１１は、修正対象物を支持する。修正対象物は、例えばオルタネータのロータ１５などが適用される。修正対象物であるロータ１５は、シャフト１６と、ロータコア１７とから構成されている。シャフト１６はロータコア１７に圧入され、ロータコア１７はシャフト１６の径方向外側へ突出している。回転支持部１１は、天地方向においてロータ１５の上端部側に位置する上端支持部１８、および下端部側に位置する下端支持部１９を有している。これら上端支持部１８および下端支持部１９からなる回転支持部１１は、ロータ１５の中心軸２０を中心としてロータ１５を支持している。回転支持部１１は、下端支持部１９に駆動手段としてのモータ２１を有している。モータ２１は、ロータ１５を支持する下端支持部１９を回転駆動する。これにより、回転支持部１１に支持されているロータ１５は、中心軸２０を中心に回転可能である。また、上端支持部１８と下端支持部１９とは、上下へ移動可能である。これにより、上端支持部１８と下端支持部１９との間の距離は変化し、修正対象物であるロータ１５は回転支持部１１に容易に取り付けられる。
【０００８】
検出部１２は、振れ量検出手段としての測長器２３を有している。測長器２３は、修正対象物であるロータ１５の上端側に設けられ、ロータ１５のシャフト１６に接触可能である。測長器２３は、シャフト１６に接することにより、回転支持部１１によって回転するロータ１５の振れを含む変位量を検出する。測長器２３とシャフト１６とが接する位置は、検査位置に相当する。
【０００９】
荷重印加部１３は、修正対象物であるロータ１５の軸方向において中央付近、すなわちロータコア１７の近傍に設けられている。荷重印加部１３は、駆動手段としてのアクチュエータ２４、および押圧部２５を有している。押圧部２５は、ロータ１５のロータコア１７と接触可能である。アクチュエータ２４は、押圧部２５をロータコア１７側へ押し付ける力を発生する。押圧部２５は、アクチュエータ２４で発生した力によってロータコア１７をその径方向へ押し付ける。これにより、荷重印加部１３は、ロータコア１７に対し径方向、すなわち中心軸２０と垂直な方向へ力を加える。反力取得部１４は、ロードセル２６を有し、荷重印加部１３と一体に設けられている。反力取得部１４のロードセル２６は、荷重印加部１３からロータ１５へ力が加えられたとき、この力によって押圧部２５がロータ１５から受ける反力を検出する。反力取得部１４は、荷重印加部１３からロータ１５へ加える力に関連づけてロータ１５から受ける反力を取得する。
【００１０】
次に、上記の振れ修正装置１０の電気的な構成について図２に基づいて説明する。
振れ修正装置１０は、制御部３０を備えている。制御部３０は、図示しないＣＰＵ、ＲＯＭおよびＲＡＭを有するマイクロコンピュータで構成されている。制御部３０は、ＲＯＭに記憶されているコンピュータプログラムにしたがって振れ修正装置１０の全体を制御する。また、制御部３０は、上記の回転支持部１１のモータ２１、検出部１２の測長器２３、荷重印加部１３のアクチュエータ２４および反力取得部１４のロードセル２６に接続している。さらに、制御部３０は、回転角度取得部３１、荷重制御部３２、記憶部３３、変化パターン取得部３４、修正パターン選択部３５および第二荷重設定部３６に接続している。回転角度取得部３１、荷重制御部３２、変化パターン取得部３４、修正パターン選択部３５および第二荷重設定部３６は、制御部３０で実行されるコンピュータプログラムによってソフトウェア的またはハードウェア的に実現されている。
【００１１】
制御部３０は、ドライバ４１を経由してモータ２１へ駆動信号を出力することにより、回転支持部１１の回転を制御する。制御部３０は、測長器２３からロータ１５の振れを含む変位量を取得する。具体的には、制御部３０は、測長器２３から出力されたパルスをカウンタ４２でカウントし、エンコーダ４３でコード化することによりロータ１５の変位量を取得する。回転角度取得部３１は、例えばモータ２１の回転位置などから回転支持部１１に支持されている修正対象物であるロータ１５の回転角度を取得する。このとき、回転角度取得部３１は、ロータ１５の回転角度と検出部１２の測長器２３で検出するロータ１５の振れ量または変位量とを関連づけて取得する。すなわち、回転角度取得部３１は、ロータ１５の回転角度ごとに、回転角度に応じたロータ１５の振れ量を取得する。
【００１２】
荷重制御部３２は、荷重印加部１３に指示する制御値を設定する。制御値は、荷重印加部１３からロータ１５へ加える力に対応する。荷重制御部３２は、設定された制御値に基づいてドライバ４４を経由してアクチュエータ２４へ駆動信号を出力する。これにより、アクチュエータ２４は、荷重制御部３２で設定された制御値に対応する力を発生する。制御部３０は、反力取得部１４のロードセル２６で検出した反力に対応する電気信号をアンプ４５で増幅し、Ａ／Ｄ変換器４６でデジタル信号に変換された信号を取得する。荷重制御部３２は、設定された制御値に基づいてアクチュエータ２４を制御するとき、反力取得部１４で取得するロータ１５からの反力が荷重印加部１３へ指示する制御値に対応する力を下回るように制御する。すなわち、荷重制御部３２は、反力取得部１４で取得した反力に基づいて、荷重印加部１３からロータ１５に対し適正な力が加わるようにアクチュエータ２４をフィードバック制御する。
【００１３】
記憶部３３は、例えば磁気的若しくは光学的、または不揮発性メモリなどの記憶媒体を有している。記憶部３３は、検出部１２の測長器２３および回転角度取得部３１で取得されたロータ１５の回転角度および振れ量若しくは変位量、反力取得部１４で取得した反力、ならびに複数の修正パターンなどを記憶している。修正パターンは、修正対象物であるロータ１５の振れ量を修正するために予め複数の修正パターンとして用意され、記憶部３３に記憶されている。この修正パターンは、図３に示すように修正対象物であるロータ１５に加える荷重と変位量との関係を示すパターンとして記憶されている。なお、記憶部３３は、制御部３０に接続する記憶媒体だけでなく、制御部３０を構成するＲＯＭおよびＲＡＭを含めてもよい。
【００１４】
変化パターン取得部３４は、修正対象物であるロータ１５に第一荷重を加えたときに、ロータ１５に生じる変位量を検出部１２から取得する。このとき、変化パターン取得部３４が取得する変位量は、ロータ１５に第一荷重を加えたときに、ロータ１５の変形などによって生じるものであり、ロータ１５の歪みなどによる振れ量とは異なるものである。この変位量は、ロータ１５の剛性や弾性などによってロータ１５の個体ごと相違し、各ロータ１５に固有の値である。変化パターン取得部３４は、この第一荷重を加えたときの変位量を検出部１２の測長器２３から取得する。
【００１５】
回転角度取得部３１で修正対象物であるロータ１５の全周において振れ量が取得されると、制御部３０は振れ量が最大となる振れ量最大位置を抽出する。振れ量最大位置が抽出されると、荷重制御部３２は荷重印加部１３のアクチュエータ２４へ第一荷重に対応する制御値を出力する。これにより、ロータ１５は、振れ量最大位置において荷重印加部１３から第一荷重を受ける。この第一荷重は、修正対象物であるロータ１５の弾性限度より小さな値として予め設定され、記憶部３３に記憶されている。第一荷重は、ロータ１５の弾性限度より小さく、特に弾性限度の１／２より小さく設定されている。変化パターン取得部３４は、図３の破線で示すように、ロータ１５に第一荷重Ｌ１が加えられたときのロータ１５の変位量を変化パターンＰとして取得する。
【００１６】
修正パターン選択部３５は、ロータ１５へ第一荷重Ｌ１を加えたときに変化パターン取得部３４で取得したロータ１５の変化パターンＰに基づいて、記憶部３３に記憶されている複数の修正パターンから最適修正パターンを選択する。この最適修正パターンは、複数の修正パターンのうち、ロータ１５へ第一荷重Ｌ１を加えたときのロータ１５の変化パターンとの誤差が最小となるものが選択される。例えば図３に示す場合、記憶部３３には、３つの修正パターンＡ、Ｂ、Ｃが記憶されている。修正パターン選択部３５は、記憶部３３に記憶されている３つの修正パターンＡ、Ｂ、Ｃから、変化パターンＰとの誤差が最小となる修正パターンＢを最適修正パターンＳｐとして選択する。
【００１７】
第二荷重設定部３６は、ロータ１５の目標とする振れ修正量から、修正パターン選択部３５で選択した最適修正パターンＳｐに基づいて荷重を算出し、算出した荷重を第二荷重に設定する。例えば図３に示す場合、ロータ１５の目標とする振れ修正量Ｔｒとしたとき、第二荷重設定部３６は最適修正パターンＳｐ（＝Ｂ）を用いて、振れ修正量Ｔｒに相当する荷重を算出する。そして、第二荷重設定部３６は、算出したこの荷重を第二荷重Ｌ２に設定し、この第二荷重Ｌ２を荷重制御部３２から荷重印加部１３へ指示する制御値に設定する。これにより、荷重印加部１３は、ロータ１５に対し目標とする振れ修正量に対応する第二荷重Ｌ２を印加する。この場合、荷重制御部３２は、荷重印加部１３からロータ１５に対し最適修正パターンＳｐに沿った力が加わるようにアクチュエータ２４へ出力する制御値を制御する。
【００１８】
次に、上記の構成による振れ修正装置１０の動作の流れについて図４に基づいて説明する。
修正対象物であるロータ１５は、回転支持部１１の上端支持部１８と下端支持部１９との間に取り付けられる（Ｓ１０１）。回転支持部１１にロータ１５が取り付けられると、回転角度取得部３１でロータ１５の回転角度および振れ量が取得される（Ｓ１０２）。具体的には、制御部３０は、ドライバ４１を経由して回転支持部１１のモータ２１へ駆動信号を出力する。制御部３０は、中心軸２０を中心にロータ１５を確実に一回転させるため、例えば３７０°の回転に対応する駆動信号をモータ２１へ出力する。これにより、回転支持部１１に取り付けられたロータ１５は、モータ２１の駆動力によって中心軸２０を中心に回転する。このとき、検出部１２は、測長器２３でロータ１５の振れ量を検出する。そして、回転角度取得部３１は、モータ２１の回転角度すなわちロータ１５の回転位置と、その回転位置におけるロータ１５の振れ量とを関連づけて記憶部３３に記憶する。
【００１９】
ロータ１５の回転位置と振れ量とが取得されると、制御部３０は、検出したロータ１５の振れ量が予め設定されている規格内にあるか否かを判断する（Ｓ１０３）。そして、制御部３０は、ロータ１５の振れ量がこの規格内にあると判断すると（Ｓ１０３：Ｙｅｓ）、対象となる回転支持部１１に現在支持されているロータ１５は規格内品として、修正を加えることなく処理を終了する。ロータ１５は、ロータコア１７にシャフト１６が圧入されるため、圧入の際に振れの原因となる歪みが生じる。そのため、制御部３０は、ロータ１５の修正に先立って、この歪みが規格内にあるか否かを判断し、歪みが規格内であれば良品として修正を加えることなく処理を終了する。
【００２０】
一方、制御部３０は、ロータ１５の振れ量が規格内にない、すなわち規格外であると判断すると（Ｓ１０３：Ｎｏ）、その規格からのずれが修正可能な範囲にあるか否かを判断する（Ｓ１０４）。制御部３０は、対象となっているロータ１５が修正可能な範囲にない、すなわち修正可能な範囲外であると判断すると（Ｓ１０４：Ｎｏ）、対象としてロータ１５は規格外品として処理を終了する。つまり、Ｓ１０４において規格外と判断されたロータ１５は、この後の修正処理を加えても規格内に収まらない、あるいは修正処理の際に各部の破損を招くおそれがある。したがって、Ｓ１０４において修正可能な範囲外と判断されたロータ１５は、規格外品として廃棄される。なお、ここでロータ１５の振れ量が規格内にあるか否か、および修正が可能な範囲内にあるか否かは、ロータ１５の全周における振れ量の平均値を基準として判断、またはロータ１５の全周のうち最大となる振れ量を基準として判断のいずれであってもよい。また、振れ量の平均値および振れ量の最大値の双方を基準としてロータ１５の振れ量が規格内にあるか否かを判断してもよい。
【００２１】
制御部３０は、検出したロータ１５の振れ量が修正可能な範囲内にあると判断すると（Ｓ１０４：Ｙｅｓ）、振れ量が最大となる振れ量最大位置を抽出し、抽出した振れ修正位置までロータ１５を回転させる（Ｓ１０５）。すなわち、制御部３０は、記憶部３３に記憶した回転角度ごとのロータ１５の振れ量から、振れ量が最大となる振れ量最大位置を抽出する。そして、制御部３０は、この振れ量最大位置へロータ１５を回転させるために、振れ量最大位置に対応する駆動信号をドライバ４１を経由してモータ２１へ出力する。これにより、回転支持部１１に支持されているロータ１５は、振れ量最大位置において荷重印加部１３と対向する。
【００２２】
ロータ１５が回転し、振れ量最大位置において荷重印加部１３と対向すると、荷重印加部１３はロータ１５の振れ量最大位置に第一荷重Ｌ１を加える（Ｓ１０６）。すなわち、荷重制御部３２は、ドライバ４４を経由してアクチュエータ２４に第一荷重Ｌ１に対応する駆動信号を出力する。これにより、アクチュエータ２４によって駆動される押圧部２５は、ロータ１５の振れ量最大位置においてロータコア１７に接し、ロータコア１７を径方向へ押し付ける。このとき、押圧部２５は、第一荷重Ｌ１でロータ１５に力を加える。この第一荷重Ｌ１は、上述のように弾性限度より小さく、好ましくは弾性限度の１／２より小さく設定されている。
【００２３】
荷重印加部１３からロータ１５へ第一荷重Ｌ１が加えられると、変化パターン取得部３４は、検出部１２の測長器２３からロータ１５の変位量の変化パターンＰを取得する（Ｓ１０７）。第一荷重Ｌ１に対応するロータ１５の変位量の変化パターンＰを取得すると、修正パターン選択部３５は、検出した変位量の変化パターンＰに基づいて、記憶部３３に記憶されている複数の修正パターンＡ、Ｂ、Ｃのうち、検出した変位量の変化パターンＰとの誤差が最小となる最適修正パターンＳｐを選択する（Ｓ１０８）。本実施形態の場合、記憶部３３は、図３に示すように３つの修正パターンＡ、Ｂ、Ｃを記憶している。荷重印加部１３からロータ１５へ第一荷重Ｌ１を加えるとき、ロータ１５は荷重印加部１３からの荷重が「０」の状態から第一荷重Ｌ１になるまで徐々に荷重が加えられる。そのため、変化パターン取得部３４は、回転支持部１１に現在取り付けられている修正の対象となっているロータ１５について、図３の破線で示すように第一荷重Ｌ１が加わるまで荷重と変位量との関係を変化パターンＰとして取得する。この変化パターンＰは、修正の対象となっているロータ１５に固有の関係である。修正パターン選択部３５は、予め記憶部３３に記憶されている修正パターンＡ、Ｂ、Ｃのうち、修正の対象となっているロータ１５で取得された変化パターンＰに最も誤差の小さい修正パターン（本実施形態の場合、修正パターンＢ）を最適修正パターンＳｐとして選択する。
【００２４】
第二荷重設定部３６は、最適修正パターンＳｐが選択されると、最適修正パターンＳｐに基づいて修正の対象となっているロータ１５に対し加える第二荷重Ｌ２を設定する（Ｓ１０９）。すなわち、第二荷重設定部３６は、Ｓ１０２で測定した振れ量から、ロータ１５に対し目標となる振れ修正量Ｔｒを設定する。そして、第二荷重設定部３６は、選択した最適修正パターンＳｐに基づいて、設定した振れ修正量Ｔｒに対応する荷重、すなわち設定した振れ修正量Ｔｒを確保するために必要な荷重を算出する。具体的には、第二荷重設定部３６は、図３に示すように最適修正パターンＳｐを用いて振れ修正量Ｔｒに対応する荷重を算出し、算出した荷重を第二荷重Ｌ２に設定する。さらに、第二荷重設定部３６は、算出した荷重を第二荷重Ｌ２として設定し、荷重制御部３２へ出力する。荷重制御部３２は、第二荷重設定部３６で設定された第二荷重Ｌ２に対応する駆動信号をアクチュエータ２４に出力する。
【００２５】
第二荷重Ｌ２が設定され荷重制御部３２からアクチュエータ２４へ駆動信号が出力されると、荷重印加部１３の押圧部２５はロータコア１７を押し付け、ロータ１５の振れは修正される（Ｓ１１０）。押圧部２５は、Ｓ１０６で第一荷重Ｌ１を印加する際にロータコア１７に接している。そのため、アクチュエータ２４によって駆動される押圧部２５は、ロータ１５の振れ量最大位置においてロータコア１７を径方向へ押し付ける。このとき、押圧部２５は、第二荷重Ｌ２でロータ１５に力を加える。この場合、上述のようにＳ１０６において押圧部２５はロータコア１７に接しているため、ロータコア１７は第一荷重Ｌ１に連続して第二荷重Ｌ２が加えられる。すなわち、押圧部２５は、第一荷重Ｌ１によりロータコア１７に力を加えた後、引き続き第二荷重Ｌ２によりロータコア１７へ力を加える。このようにロータコア１７に力を加えることにより、ロータ１５の振れは修正される。この場合、荷重制御部３２は、第一荷重Ｌ１から第二荷重Ｌ２まで最適修正パターンＳｐに沿った変位量の変化が生じるように、アクチュエータ２４に対し制御値を出力してもよい。ロータ１５の修正が完了すると、対象となっているロータ１５は回転支持部１１から取り外され、処理が終了する。
【００２６】
以上説明したように、一実施形態では、変化パターン取得部３４が修正対象物であるロータ１５の中心軸２０を中心とする全周において振れ量を取得すると、荷重印加部１３は振れ量最大位置においてロータ１５へ第一荷重Ｌ１を加える。これにより、変化パターン取得部３４は、第一荷重Ｌ１に対応するロータ１５の個体ごとに固有の変位量を変化パターンＰとして取得する。修正パターン選択部３５は、このロータ１５に固有の変化パターンＰを参考に、複数の修正パターンＡ、Ｂ、Ｃのうち誤差が最小となる最適修正パターンＳｐ（＝Ｂ）を選択する。第二荷重設定部３６は、最適修正パターンＳｐを用いて、ロータ１５の目標となる振れ修正量Ｔｒから第二荷重Ｌ２を設定する。これにより、荷重印加部１３は、第二荷重設定部３６で設定された第二荷重Ｌ２に対応する制御値にしたがって、ロータ１５へ第二荷重Ｌ２を加える。このように、一実施形態では、中心軸２０を中心にロータ１５を約一回転させる間に全周の振れ量を取得し、この振れ量が最大となる位置でロータ１５へ第一荷重Ｌ１を加える。そして、第一荷重Ｌ１によって得られたロータ１５の変位量から最適修正パターンＳｐを選択し、この最適修正パターンＳｐにより目標となる修正量Ｔｒに対応する第二荷重Ｌ２を設定することによって、ロータ１５は第二荷重Ｌ２で修正される。その結果、ロータ１５は、全周における振れ量の取得、振れ量最大位置における第一荷重Ｌ１の印加、およびこの振れ量最大位置における第二荷重Ｌ２の印加という手順で振れの修正が完了する。すなわち、ロータ１５は、振れ量最大位置において第一荷重Ｌ１および第二荷重Ｌ２が続けて印加される。第二荷重Ｌ２による振れ修正に先だって、第一荷重Ｌ１を印加することにより、ロータ１５を適切に変位させるためにどのような荷重をどのように印加すればよいかが推測され、推測した荷重の印加手順が最適修正パターンＳｐとして取得される。そして、この最適修正パターンＳｐにしたがうことにより、ロータ１５には第二荷重Ｌ２の印加の当初から目標とする振れ修正量に対応する適切な荷重が印加される。その結果、短時間でロータ１５で修正される振れ量が収束し、修正回数は低減される。したがって、ロータ１５の個体差に関わらず、修正に必要な時間および修正の回数を低減することができ、作業工程を定量的に管理することができる。
【００２７】
また、一実施形態では、記憶部３３に複数の修正パターンＡ、Ｂ、Ｃを記憶し、この中から第一荷重Ｌ１におけるロータ１５の変化パターンとの誤差が最小の最適修正パターンＳｐが選択される。そのため、ロータ１５に個体差がある場合でも、その個体差に応じて最も適した修正パターンが適用される。したがって、ロータ１５の個体差に関わらず、ロータ１５の振れを精度よく修正することができる。
【００２８】
さらに、一実施形態では、修正対象となるロータ１５は、天地方向に中心軸２０を向けて回転支持部１１に取り付けられる。ロータ１５は、軸状のシャフト１６の中央付近に重量物であるロータコア１７が設けられている。そのため、ロータ１５を中心軸２０が水平になるように支持すると、シャフト１６にはロータコア１７の重量による重力方向下方への撓みが生じる。その結果、検出される振れ量や変位量は重力の影響を受けやすくなり、精度の低下を招く。そこで、本実施形態のようにロータ１５の中心軸２０を天地方向に向けて上下から回転可能に支持することにより、ロータ１５のように中央部にロータコア１７などの重量物を有する場合でも、重力の影響が排除される。したがって、振れの検出精度を高めることができるとともに、振れの修正の精度も高めることができる。
【００２９】
以上説明した本発明は、上記実施形態に限定されるものではなく、その要旨を逸脱しない範囲で種々の実施形態に適用可能である。
本実施形態では、記憶部３３に３つの修正パターンＡ、Ｂ、Ｃを記憶する例について説明した。しかし、修正パターンは、対象とする修正対象物の特性に応じて３つ以上を用意してもよい。また、本実施形態では、修正対象物としてオルタネータのロータ１５を例に説明したが、当然にオルタネータのロータ１５に限らず、任意の物品を修正対象物として適用することができる。
【符号の説明】
【００３０】
図面中、１０は振れ修正装置、１１は回転支持部、１２は検出部、１３は荷重印加部、１４は反力取得部、１５はロータ（修正対象物）、２０は中心軸、３１は回転角度取得部、３２は荷重制御部、３３は記憶部、３４は変化パターン取得部、３５は修正パターン選択部、３６は第二荷重設定部を示す。
【図１】
0005421038.tif 000002
【図２】
0005421038.tif 000003
【図３】
0005421038.tif 000004
【図４】
0005421038.tif 000005